【手続補正書】
【提出日】平成17年6月27日(2005.6.27)
【手続補正１】
【補正対象書類名】明細書
【補正対象項目名】特許請求の範囲
【補正方法】変更
【補正の内容】
【特許請求の範囲】
【請求項１】
第１方向沿いに並ぶ複数の画素を夫々含む複数の画素行が該第１方向に交差する第２方向沿いに並設される画素アレイ、該複数の画素行の夫々を走査信号にて選択する走査駆動回路、該複数の画素行の該走査信号にて選択された少なくとも１行に含まれる該画素の各々に表示信号を供給するデータ駆動回路、及び該画素アレイの表示動作を制御する表示制御回路を備えたものであって、
映像データがその水平走査周期ごとにその１ラインずつ入力され、
前記データ駆動回路は、前記映像データの１ライン毎にこれに対応する表示信号を順次一定期間毎に生成し且つ該表示信号を画素アレイにＮ回（Ｎは２以上の自然数）出力する第１の工程と、
前記画素の輝度を前記第１工程における該画素のそれ以下にする表示信号を前記一定期間に生成し且つ該表示信号を画素アレイにＭ回（ＭはＮより小さい自然数）出力する第２の工程とが交互に繰り返され、
前記走査駆動回路は、前記第１の工程において前記複数の画素行をＹ行（ＹはＮ／Ｍより小さい自然数）毎に前記画素アレイの一端から他端に向けて前記第２方向沿いに順次選択する第１選択工程と、
前記第２の工程において前記複数の画素行の前記第１選択工程で選択された（Ｙ×Ｎ）行以外をＺ行（ＺはＮ／Ｍ以上の自然数）毎に前記画素アレイの一端から他端に向けて前記第２方向沿いに順次選択する第２選択工程とが交互に繰り返され、
前記第２の工程により出力される表示信号は、その出力がフレーム毎の表示にて異なる時間をずらしてなされるとともに、各フレームのブランキング信号は次のフレームの対応するブランキング信号に対して時間的に前記一定期間のずれが多くとも（Ｎ−２）個含むことなく割り振られていることを特徴とする表示装置。
【請求項２】
前記第１の工程における前記表示信号の１回の出力に呼応して前記第１選択工程で選択される前記画素行の行数：Ｙは１であり、該第１の工程での表示信号の出力回数：Ｎは４以上であり、前記第２の工程における前記表示信号の１回の出力に呼応して前記第２選択工程で選択される前記画素行の行数：Ｚは４以上であり、且つ該第２の工程での表示信号の出力回数：Ｎは１である請求項１に記載の表示装置。
【請求項３】
第１方向沿いに並ぶ複数の画素を夫々含む複数の画素行が該第１方向に交差する第２方向沿いに並設される画素アレイ、該複数の画素行の夫々を走査信号にて選択する走査駆動回路、該複数の画素行の該走査信号にて選択された少なくとも１行に含まれる該画素の各々に表示信号を供給するデータ駆動回路、及び該画素アレイの表示動作を制御する表示制御回路を備えたものであって、
映像データがその水平走査周期ごとにその１ラインずつ入力され、
前記データ駆動回路は、前記映像データの１ライン毎にこれに対応する表示信号を順次生成し且つ該表示信号を画素アレイにＮ回（Ｎは２以上の自然数）出力する第１の工程と、
前記画素の輝度を前記第１工程における該画素のそれ以下にする表示信号を生成し且つ該表示信号を画素アレイにＭ回（ＭはＮより小さい自然数）出力する第２の工程とが交互に繰り返され、
前記走査駆動回路は、走査クロックの入力に基づき、前記第１の工程において前記複数の画素行をＹ行（ＹはＮ／Ｍより小さい自然数）毎に前記画素アレイの一端から他端に向けて前記第２方向沿いに順次選択する第１選択工程と、
前記第２の工程において前記複数の画素行の前記第１選択工程で選択された（Ｙ×Ｎ）行以外をＺ行（ＺはＮ／Ｍ以上の自然数）毎に前記画素アレイの一端から他端に向けて前記第２方向沿いに順次選択する第２選択工程とが交互に繰り返され、
且つ、フレームと次のフレームの切り替え時に前のフレームにて最後に出力される前記第２の工程によって生成される表示信号と次のフレームにて最初に出力される前記第２の工程によって生成される表示信号との間に発生する前記走査クロックの数をＮ個に調整する手段を有することを特徴とする表示装置。
【請求項４】
前記第１の工程における前記表示信号の１回の出力に呼応して前記第１選択工程で選択される前記画素行の行数：Ｙは１であり、該第１の工程での表示信号の出力回数：Ｎは４以上であり、前記第２の工程における前記表示信号の１回の出力に呼応して前記第２選択工程で選択される前記画素行の行数：Ｚは４以上であり、且つ該第２の工程での表示信号の出力回数：Ｎは１である請求項３に記載の表示装置。
【請求項５】
第１方向沿いに並ぶ複数の画素を夫々含む複数の画素行が該第１方向に交差する第２方向沿いに並設される画素アレイ、該複数の画素行の夫々を走査信号にて選択する走査駆動回路、該複数の画素行の該走査信号にて選択された少なくとも１行に含まれる該画素の各々に表示信号を供給するデータ駆動回路、及び該画素アレイの表示動作を制御する表示制御回路を備えた表示装置に映像データをその水平走査周期ごとにその１ラインずつ入力し、
前記データ駆動回路により、
前記映像データの１ライン毎にこれに対応する表示信号を順次生成し且つ該表示信号を画素アレイにＮ回（Ｎは２以上の自然数）出力する第１の工程と、
前記画素の輝度を前記第１工程における該画素のそれ以下にする表示信号を生成し且つ該表示信号を画素アレイにＭ回（ＭはＮより小さい自然数）出力する第２の工程とが交互に繰り返し、
前記走査駆動回路により、
走査クロックの入力に基づき、前記第１の工程において前記複数の画素行をＹ行（ＹはＮ／Ｍより小さい自然数）毎に前記画素アレイの一端から他端に向けて前記第２方向沿いに順次選択する第１選択工程と、
前記第２の工程において前記複数の画素行の前記第１選択工程で選択された（Ｙ×Ｎ）行以外をＺ行（ＺはＮ／Ｍ以上の自然数）毎に前記画素アレイの一端から他端に向けて前記第２方向沿いに順次選択する第２選択工程とが交互に繰り返し、
且つ、フレームと次のフレームの切り替え時に前のフレームにて最後に出力される前記第２の工程によって生成される表示信号と次のフレームにて最初に出力される前記第２の工程によって生成される表示信号との間に発生する前記走査クロックの数をＮ個に調整することを特徴とする表示装置の駆動方法。
【請求項６】
前記第１の工程における前記表示信号の１回の出力に呼応して前記第１選択工程で選択される前記画素行の行数：Ｙは１であり、該第１の工程での表示信号の出力回数：Ｎは４以上であり、前記第２の工程における前記表示信号の１回の出力に呼応して前記第２選択工程で選択される前記画素行の行数：Ｚは４以上であり、且つ該第２の工程での表示信号の出力回数：Ｎは１である請求項５に記載の表示装置の駆動方法。
【請求項７】
複数の走査信号線と、
前記複数の走査信号線に接続された複数の画素とを有する表示装置であって、
前記複数の走査信号線のうち、隣接するｍ本（ｍは２以上の自然数）よりなる第１の走査信号線群の各走査信号線を順次選択することで、前記第１の走査信号線群に対応する複数の画素に対して映像信号が供給される第１の工程と、
前記複数の走査信号線のうち、前記第１の走査信号線群とは異なり、隣接するｎ本（ｎは２以上の自然数）よりなる第２の走査信号線群の走査信号線を一括して選択することで、前記第２の走査信号線群に対応する複数の画素に対してブランキング信号が供給される第２の工程とを有し、
前記第１の工程において順次選択される前記ｍ本の走査信号線のうちの所定の１本が選択される前に前記第２の工程が行われ、
前記ｍ本の走査信号線の中で、前記所定の１本とは、フレーム毎に異なっており、
前記ｎ本の走査信号線と前記所定の１本との間に存在する走査信号線の数は、フレーム毎に異なっていることを特徴とする表示装置。
【請求項８】
前記第１の工程と前記第２の工程とは、フレーム毎に繰り返されることを特徴とする請求項７に記載の表示装置。
【請求項９】
前記第２の工程の後に選択される前記所定の１本とは、第１のフレームにおいては、前記ｍ本の走査信号線の中の第１の走査信号線であり、前記第１のフレームよりも後の第２のフレームにおいては、前記ｍ本の走査信号線の中の第２の走査信号線であることを特徴とする請求項７又は８に記載の表示装置。
【請求項１０】
前記第１の走査信号線と前記第２の走査信号線との間には、多くとも（ｍ−２）本の走査信号線を含まないことを特徴とする請求項９に記載の表示装置。
【請求項１１】
前記第１の走査信号線と前記第２の走査信号線との間には、少なくとも１本の走査信号線が設けられていることを特徴とする請求項９に記載の表示装置。
【請求項１２】
前記第２の走査信号線は、前記第１の走査信号線に対して、前記順次選択の方向とは逆の方向の走査信号線であり、
前記第１の走査信号線群の全ての順次選択が終了した後、再度、前記第１の走査信号線群を順次選択することを特徴とする請求項９に記載の表示装置。
【請求項１３】
複数の走査信号線と、
前記複数の走査信号線に接続された複数の画素とを有する表示装置であって、
前記複数の走査信号線のうち、隣接するｍ本（ｍは２以上の自然数）よりなる第１の走査信号線群の各走査信号線を順次選択することで、前記第１の走査信号線群に対応する複数の画素に対して映像信号が供給される第１の工程と、
前記複数の走査信号線のうち、前記第１の走査信号線群とは異なり、隣接するｎ本（ｎは２以上の自然数）よりなる第２の走査信号線群の走査信号線を一括して選択することで、前記第２の走査信号線群に対応する複数の画素に対してブランキング信号が供給される第２の工程とを有し、
前記第１の工程において順次選択される前記ｍ本の走査信号線のうちの所定の１本が選択される前に前記第２の工程が行われ、
前記所定の１本とは、第１のフレームにおいては、前記ｍ本の走査信号線の中の第１の走査信号線であり、前記第１のフレームよりも後の第２のフレームにおいては、前記ｍ本の走査信号線の中の第２の走査信号線であり、
前記第２の走査信号線は、前記第１の走査信号線に対して、前記順次選択の方向とは逆の方向の走査信号線であり、
前記第１の走査信号線群の全ての順次選択が終了した後、再度、前記第１の走査信号線群を順次選択することを特徴とする表示装置。
【請求項１４】
前記第２の工程は、１フレームにおいて、前記ｍ本の走査信号線のうちの前記所定の１本が選択される前においてのみ行われることを特徴とする請求項７乃至１３の何れかに記載の表示装置。
【請求項１５】
前記ｍ本と前記ｎ本とは同じ本数であることを特徴とする請求項７乃至１４の何れかに記載の表示装置。
【請求項１６】
前記ｍ本と前記ｎ本とは、４本であることを特徴とする請求項７乃至１５の何れかに記載の表示装置。